(57)【要約】【課題】画像の描画停止を防ぐことのできる画像表示装置を提供する。【解決手段】復調部がシリアル伝送された画像信号を復調し、表示部が復調された画像信号を用いて画像を表示する。また補完クロック信号出力部が、画像信号の異常時に、表示部に画像信号を同期させるドットクロック信号を補完する補完クロック信号を出力する【選択図】図１
2013205639.tif 000002
【特許請求の範囲】
【請求項１】
シリアル伝送された画像信号を復調する復調部と、
前記復調された画像信号を用いて画像を表示する表示部と、
前記画像信号の異常時に、前記表示部に前記画像信号を同期させるドットクロック信号を補完する補完クロック信号を前記表示部へ出力する補完クロック信号出力部と、
を備えることを特徴とする画像表示装置。
【請求項２】
前記復調部は前記画像信号の異常を検出した場合に異常検出信号を出力し、
前記異常検出信号を入力した場合に前記ドットクロック信号の前記表示部への出力を、前記補完クロック信号の前記表示部への出力へと切り替える切替部と、
を備えることを特徴とする請求項１に記載の画像表示装置。
【請求項３】
前記画像信号は、ＲＧＢデータ、制御信号、前記ドットクロック信号を含み、
前記表示部は、前記ドットクロック信号の入力の代わりに、前記補完クロック信号を入力している間は、入力した前記ＲＧＢデータのうちの最後のＲＧＢデータによる画像信号を出力する
ことを特徴とする請求項１または請求項２に記載の画像表示装置。
【請求項４】
前記画像信号をシリアル伝送するシリアル伝送部と、を備え、
前記復調部は、前記シリアル伝送部と通信ハーネスを介して接続され、当該通信ハーネスを介して入力した前記シリアル伝送された画像信号を復調する
ことを特徴とする請求項１から請求項３の何れか一項に記載の画像表示装置。
【請求項５】
前記通信ハーネスは電磁波の影響を防ぐシールドが施されていない通信ハーネスであることを特徴とする請求項４に記載の画像表示装置。
【請求項６】
画像表示装置における制御方法であって、
復調部が、シリアル伝送された画像信号を復調し、
表示部が、前記復調された画像信号を用いて画像を表示し、
補完クロック信号出力部が、前記画像信号の異常時に、前記表示部に前記画像信号を同期させるドットクロック信号を補完する補完クロック信号を前記表示部へ出力する
ことを特徴とする制御方法。
【発明の詳細な説明】
【技術分野】
【０００１】
本発明は、ＶＤＰ（Video Display Processor）から出力された画像信号に基づいて、画像を表示する画像表示装置及びその制御方法に関する。
【背景技術】
【０００２】
遊技機などにおいては多彩な画像の演出のニーズがあり、メインとなる液晶の表示装置とは別に、小型のサブの液晶の表示装置を設け、それら複数の表示装置それぞれに異なる画像を表示して、ユーザの娯楽性を高める画像表示装置が用いられている。ここで、小型の表示装置は、ＶＤＰ（Video Display Processor）から離れた位置に設置することが行われることが考えられる。しかしながら、近年の表示装置においては制御信号が４０ほどあり、それらを別々の配線で制御するとなると、距離の離れた表示装置に、数多くの通信ハーネスを結線する必要が出てくる。このような通信ハーネスの数を少なくするために、ＲＧＢデータや制御信号を含む画像信号をシリアル化することが考えられる。なお、関連する技術として特許文献１が開示されている。
【先行技術文献】
【特許文献】
【０００３】
【特許文献１】特開２０１０−２０４６６７号公報
【発明の概要】
【発明が解決しようとする課題】
【０００４】
ところで、ＲＧＢデータや制御信号を含む画像信号をシリアル化する場合、ＶＤＰ側のシリアル化デバイスが信号をシリアル化し、距離の離れた位置に設置されているサブの表示装置側で復調デバイスが復調する。ところが、このようなシリアル化デバイスと復調デバイスとを用いてシリアル化して通信ハーネスの配線を簡易化したとしても、そのシリアル信号にノイズが混入し、シリアル化された信号中の複数の信号に同期ずれが発生することがあった。またこれにより、復調デバイスにおいて各信号の同期が取れるまで画像信号の出力を停止してしまうという問題が発生していた。このように表示装置は、復調デバイスからＲＧＢデータや制御信号を含む画像信号の入力がない場合、異常と判定し、画像信号に含まれるＲＧＢデータを用いた画像の描画を停止してしまう。これにより、表示装置において画面がブラックアウトしてしまうという問題があった。
なお、一般的に外来ノイズの混入を防ぐ対策として、通信ハーネスのシールド化を行うことが考えられるが、遊技機においてはそのような内部の可視化のために、シールド化が規則上できず、外来ノイズのシールド化による対策はできないものとなっていた。
【０００５】
そこでこの発明は、上述の課題を解決することのできる画像表示装置及びその制御方法を提供することを目的としている。
【課題を解決するための手段】
【０００６】
上記目的を達成するために、本発明は、シリアル伝送された画像信号を復調する復調部と、前記復調された画像信号を用いて画像を表示する表示部と、前記画像信号の異常時に、前記表示部に前記画像信号を同期させるドットクロック信号を補完する補完クロック信号を前記表示部へ出力する補完クロック信号出力部と、を備えることを特徴とする画像表示装置である。
【０００７】
また本発明は、画像表示装置における制御方法であって、復調部が、シリアル伝送された画像信号を復調し、表示部が、前記復調された画像信号を用いて画像を表示し、補完クロック信号出力部が、前記画像信号の異常時に、前記表示部に前記画像信号を同期させるドットクロック信号を補完する補完クロック信号を前記表示部へ出力することを特徴とする制御方法である。
【発明の効果】
【０００８】
本発明によれば、同期ずれが発生した場合でも、表示装置の表示をブラックアウトさせずに、最後に表示装置が入力したＲＧＢデータを用いた画像を当該表示装置に出力させることができる。
【図面の簡単な説明】
【０００９】
【図１】本発明の一実施形態による画像表示装置の構成を示すブロック図である。
【図２】本実施形態による画像表示装置の処理フローを示す図である。
【発明を実施するための形態】
【００１０】
以下、本発明の一実施形態による画像表示装置を図面を参照して説明する。
図１は同実施形態による画像表示装置の構成を示すブロック図である。
この図において、符号１はＶＤＰ、符号２はシリアル化デバイス、符号３は復調デバイス（復調部）、符号４は小型液晶（表示部）、符号５は発振回路（補完クロック信号出力部）、符号７はセレクタ（切替部）である。
ＶＤＰ１は、画像を構成するためのＲＧＢデータと、水平同期信号、垂直同期信号、データイネイブル（ＤＥ）信号などを含む制御信号と、それら制御信号とＲＧＢデータとを同期するドットクロック信号を出力する装置である。ＶＤＰ１は図１に示す小型のサブの液晶装置である小型液晶４であって、ＶＤＰ１と距離の離れた位置に設置される小型液晶４に画像を表示するためのＲＧＢデータや制御信号を含む画像信号を出力するとともに、図示しないメインの液晶表示装置にも画像信号を出力している。
【００１１】
またシリアル化デバイス２は、ＶＤＰ１から入力した各信号をシリアル化して復調デバイス３へ通信ハーネスを介して出力する処理部である。
また復調デバイス３は、シリアル化デバイス２より入力したシリアル信号を復調することにより、画像信号である、ＲＧＢデータ、制御信号、ドットクロック信号を出力する処理部である。また復調デバイス３は入力したシリアル信号を復調して得たＲＧＢデータおよび制御信号の、ドットクロック信号との同期が外れた場合に同期外れ検出信号を出力する処理部である。
なお、シリアル化デバイス２と復調デバイス３とは通信ハーネスで接続されているが、当該通信ハーネスは、本実施形態による画像表示装置を備えた遊技機では、電磁波の影響を防ぐためのシールド化が禁止されているため施工されていないものとする。つまり本実施形態による通信ハーネスは、通信ハーネスを通る信号への電磁波の影響を防ぐシールド（通信ハーネスを覆うアルミ箔などシールド材）が施されていない通信ハーネスである。
【００１２】
小型液晶４は、ＲＧＢデータ、制御信号、ドットクロック信号を入力して画像を表示する装置である。
また発振回路５は、ドットクロック信号を補完するための補完クロック信号を出力する処理部である。
またセレクタ７は、同期外れ検出信号を入力していない状態においてはドットクロック信号を選択して小型液晶４へ出力し、同期外れ検出信号を入力している状態においてはドットクロック信号の代わりに補完クロック信号を選択して小型液晶４へ出力する処理部である。
【００１３】
図２は本実施形態による画像表示装置の処理フローを示す図である。
次に、本実施形態による画像表示装置の処理フローについて順を追って説明する。
まず、ＶＤＰ１がＲＧＢデータ、制御信号、ドットクロック信号からなる画像信号を出力する（ステップＳ１０１）。そしてシリアル化デバイス２は、それらの信号をシリアル化して復調デバイス３へ出力する（ステップＳ１０２）。復調デバイス３は、通信ハーネスからシリアル伝送されて入力した信号を、ＲＧＢデータ、制御信号、ドットクロック信号のそれぞれに復調する（ステップＳ１０３）。そして復調デバイス３は、ＲＧＢデータと制御信号を小型液晶４へ出力する（ステップＳ１０５）。また復調デバイス３は、ドットクロック信号をセレクタ７へ出力する。セレクタ７は発振回路５から出力される補完クロック信号と、復調デバイスから出力されるドットクロック信号とを入力しているが、通常は入力したドットクロック信号を出力するようにスイッチを切り替えている。これによりセレクタ７は、小型液晶４へドットクロック信号を出力する（ステップＳ１０６）。小型液晶４においては入力したドットクロック信号と、制御信号に含まれる垂直同期信号や水平同期信号などに同期させて、ＲＧＢデータの示す画像を液晶に表示する（ステップＳ１０７）。
【００１４】
ここで復調デバイス３は入力したシリアル信号を復調して得たＲＧＢデータおよび制御信号の、ドットクロック信号との同期が外れたかどうかを検出する（ステップＳ１０４）。そして、入力したシリアル信号を復調して得たＲＧＢデータおよび制御信号のドットクロック信号との同期が外れた場合には、復調デバイス３はセレクタ７へ、同期外れ検出信号（異常検出信号）を出力する（ステップＳ１０８）。セレクタ７は、同期外れ検出信号を入力すると、ドットクロック信号から補完クロック信号へと出力を切り替え、当該補完クロック信号を小型液晶４へ出力する（ステップＳ１０９）。
【００１５】
シリアル信号にノイズが混入し、シリアル化された信号中の複数の信号に同期ずれが発生した場合、復調デバイス３は、各信号の同期が取れるまでＲＧＢデータおよび制御信号の出力を停止する。また復調デバイス３は、ドットクロック信号の出力も停止する。このように復調デバイスからＲＧＢデータや制御信号を含む画像信号やドットクロック信号の入力がない場合、小型液晶４の動作は、異常と判定し、ＲＧＢデータを用いた画像の描画を停止してしまう。これにより、表示装置においてＲＧＢデータが入力できず画面がブラックアウトしてしまう。
【００１６】
しかしながら、上述したように発振回路５を設け、セレクタ７が当該発振回路５から出力された補完クロック信号をドットクロック信号の代わりに小型液晶４へ出力することで、小型液晶４はドットクロック信号の入力に基づいて、最後に入力したＲＧＢデータの画像を表示する（ステップＳ１１０）。なお、最後に入力したＲＧＢデータは小型液晶４内のバッファなどの記憶部に記録されているものとする。
【００１７】
このように、シールド化することが規制されている遊技機などの装置内に内蔵された画像表示装置において、通信ハーネスにノイズが混入し、その結果、小型液晶４の表示がブラックアウトしてしまうような状況であっても、新たに設けた発振回路５から、ドットクロック信号に変わる補完クロック信号を小型液晶４に入力する。これにより、小型液晶４の表示がブラックアウトせずに、最後に入力したＲＧＢデータを用いた画像の出力を行うことができる。そして、本実施形態による画像表示装置が遊技機などに用いられている場合、復調デバイス３において異常を検知した場合であっても、ユーザに与える娯楽性を妨げる結果となることを軽減することができる。
【００１８】
なお、他の実施形態としては、復調デバイス３が同期外れを検出した場合、同期外れ検出信号をシリアル化デバイス２へ他の通信ハーネスを介して送信し、その結果、シリアル化デバイス２が、特別なパターン（シリアルデータ）の画像信号を復調デバイス３へ出力して、復調デバイス３が小型液晶４へ復調した画像信号を出力するようにしてもよい。
【００１９】
また小型液晶４は、セレクタ７から補完クロック信号を入力して、ＲＧＢデータや制御信号を入力していない状態においては、他のメモリに記録された画像を入力してその画像を出力するようにしてもよい。
【００２０】
なお上述の処理において、復調デバイス３は、同期外れ検出信号を出力してから、３クロック分の時間経過してからドットクロック信号の出力を停止する。例えば本実施形態における小型液晶４が４インチクラスの小型液晶であるとすると、ドットクロック信号は１０ＭＨｚ程度なので、復調デバイス３は、３クロック分＝約３００ｎｓの時間が経過してからドットクロック信号の出力を停止する。
またセレクタ７は、同期外れ検出信号を入力してから２０ｎｓ程度で補完クロック信号を出力する。
つまり、ドットクロック信号の供給停止前に補完クロック信号を出力するので、小型液晶４は、制御信号の一つであるドットクロック信号を補完する補完クロック信号を途切れることなく入力することができる。これによりブラックアウトが発生させずに、最後に入力したＲＧＢデータの画像を表示することができる。
【００２１】
上述の画像表示装置の各処理部は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われてよい。
【００２２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２３】
１・・・ＶＤＰ
２・・・シリアル化デバイス
３・・・復調デバイス
４・・・小型液晶
５・・・発振回路
７・・・セレクタ
【図１】
2013205639.tif 000003
【図２】
2013205639.tif 000004